(57)【要約】【課題】記録媒体を確実に吸引することができる記録装置を提供すること。【解決手段】記録済みの記録媒体を吸引する吸引口２１５ａ、２１５ｂ、２１５ｃであって、前記記録媒体の搬送方向に複数設けられた吸引口を有する吸引部２１５を備える。そして、前記記録媒体が搬送されて来ていないときは前記吸引口を閉じておき、前記記録媒体が搬送されて来たときはその先端の搬送にしたがって前記吸引口を順次開けていく。これにより、記録された記録媒体が搬送されて来たときに、その先端が位置する部分の吸引口のみを開けることができるので、開口した吸引口にファンの吸引能力を集中させることができ、特に強くカールしている記録媒体の先端を確実に吸引することができる。【選択図】図１５
2006341618.tif 000002
【特許請求の範囲】
【請求項１】
記録媒体に情報を記録する記録装置において、
記録済みの前記記録媒体を吸引する吸引口であって、前記記録媒体の搬送方向に複数設けられた吸引口を有する吸引部を備え、
前記記録媒体が搬送されて来ていないときは前記吸引口をシャッタにより閉じておき、前記記録媒体が搬送されて来たときはその先端の搬送にしたがって前記吸引口を前記シャッタにより順次開けていき、搬送下流側にある吸引口に記録媒体の先端が達する直前に全ての吸引口が開かれることを特徴とする記録装置。
【請求項２】
前記シャッタは、カム機構により動作されることを特徴とする請求項１に記載の記録装置。
【請求項３】
前記シャッタは、前記吸引口に対応する穴が設けられていることを特徴とする請求項１または２に記載の記録装置。
【請求項４】
前記穴は、前記記録媒体の搬送上流側の前記穴が、搬送下流側の前記穴より搬送方向に長く延びる長穴に形成されていることを特徴とする請求項３に記載の記録装置。
【発明の詳細な説明】
【技術分野】
【０００１】
本発明は、記録媒体に情報を記録する記録装置に関する。
【背景技術】
【０００２】
一般に、従来の記録装置の１つである大型のプリンタは、記録媒体である例えば印刷用のロール紙を供給する給紙部、給紙されたロール紙に情報を印刷する印刷部、印刷されたロール紙を排出する排紙部がこの順で上部から配設された構成となっている。このような大型の例えばインクジェット式プリンタを使用する場合、使用者は、ロール紙を給紙部に収納してロール紙の先端部を引き出す。そして、ロール紙の先端部を用紙搬送面として作用する平坦な給紙ガイド上を通し、紙送りローラと従動ローラとの間に挟み込んでプリンタを起動する。
【０００３】
すると、インクジェット式プリンタは、紙送りローラを回転させてロール紙を用紙搬送案内面として作用する平坦なプラテン上に送り出しながら、プリントヘッドのノズル開口からインク滴を吐出して情報をロール紙上に印刷する。そして、排紙ローラを回転させてロール紙を用紙搬送面として作用する平坦な排紙ガイド上を通して外部に排出する。
【０００４】
【特許文献１】特開２０００−２９６９４１号公報
【発明の開示】
【発明が解決しようとする課題】
【０００５】
上述した従来のプリンタでは、カールしているロール紙が印刷後に浮き上がらないように、プラテンと排紙ガイドの間にロール紙を吸引する紙吸引部が設けられている。この紙吸引部には、通常、吸引口がロール紙の搬送方向と直交する方向、すなわち主走査方向に複数設けられ、かつロール紙の搬送方向、すなわち副走査方向に複数設けられていると共に、各吸引口から外気を吸引するファンが内蔵されている。
【０００６】
ところが、上述したように吸引口が多数設けられていると、設置個数に制限があるファンの吸引能力が低下し、特に強くカールしているロール紙の先端を確実に吸引することができなくなる。この問題を解消するには吸引口の数を減らせば良いが、ロール紙が大型であるため吸引口の数はある程度必要であり、吸引口の数とファンの吸引能力の兼ね合いを取ることが困難であった。
【０００７】
本発明は、上記のような課題に鑑みなされたものであり、その目的は、記録媒体を確実に吸引することができる記録装置を提供することにある。
【課題を解決するための手段】
【０００８】
上記目的達成のため、本発明に係る記録装置では、記録媒体に情報を記録する記録装置において、記録済みの前記記録媒体を吸引する吸引口であって、前記記録媒体の搬送方向に複数設けられた吸引口を有する吸引部を備え、前記記録媒体が搬送されて来ていないときは前記吸引口をシャッタにより閉じておき、前記記録媒体が搬送されて来たときはその先端の搬送にしたがって前記吸引口を前記シャッタにより順次開けていき、搬送下流側にある吸引口に記録媒体の先端が達する直前に全ての吸引口が開かれることを特徴としている。
【０００９】
これにより、記録された記録媒体が搬送されて来たときに、その先端が位置する部分の吸引口のみを開けることができるので、開口した吸引口にファンの吸引能力を集中させることができ、特に強くカールしている記録媒体の先端を確実に吸引することができる。また、吸引口は、シャッタにより開閉されるので、記録媒体の搬送とシャッタの開動作の同期をとるのみで、記録媒体の先端の搬送にしたがって吸引口を順次開ける動作を容易に行うことができる。
【００１０】
また、本発明に係る記録装置では、前記シャッタは、カム機構により動作されることを特徴としている。これにより、吸引口の開閉を単純な機構で確実に動作させることができるようになる。
【００１１】
また、本発明に係る記録装置では、前記シャッタは、前記吸引口に対応する穴が設けられていることを特徴としている。これにより、吸引口と穴とを一致させるのみで吸引口を開け、吸引口と穴とをずらすのみで吸引口を閉じることができる。
【００１２】
また、本発明に係る記録装置では、前記穴は、前記記録媒体の搬送上流側の前記穴が、搬送下流側の前記穴より搬送方向に長く延びる長穴に形成されていることを特徴としている。
【００１３】
これにより、長穴に対応した吸引口をその長穴よりも小さい穴に対応した他の吸引口に比べて長時間開けておくことができるので、記録媒体の先端の搬送にしたがって吸引口を順次開ける動作を容易に行うことができる。
【発明を実施するための最良の形態】
【００１４】
以下、図面に基づいて本発明の実施の形態について詳細に説明する。
【００１５】
図１は、本発明の実施の形態に係る記録装置の１つであるインクジェット式プリンタの構成例を示す斜視図であり、図２は、そのインクジェット式プリンタの主要部の内部構成例を示す斜視図である。図１及び図２に示すインクジェット式プリンタ１００は、例えばＪＩＳ規格のＡ０判やＪＩＳ規格のＢ０判といった比較的大型のサイズの印刷用紙にまで印刷できる大型のプリンタであり、給紙部１１０、印刷部１２０、排紙部１３０、脚部１４０がこの順で上部から配設された構成となっている。印刷部１２０と排紙部１３０は本体として一体化されており、給紙部１１０及び脚部１４０とそれぞれ分離可能に構成されている。
【００１６】
給紙部１１０は、図１に示すように、本体１２０、１３０の上部後方に突き出るように設けられている。そして、給紙部１１０の内部には、図２に示すように、２本のロール紙（印刷用紙）がセット可能なロール紙ホルダ１１１が斜め上下に設けられ、給紙部１１０の前面には、図１及び図２に示すように、跳ね上げ式の開閉可能なロール紙カバー１１２がロール紙ホルダ１１１を覆うように取り付けられている。
【００１７】
ロール紙ホルダ１１１は、図２に示すように、ロール紙を保持するスピンドル１１３と、給紙部１１０の両側壁内面に取り付けられて、スピンドル１１３の着脱及び懸架が可能な一対のスピンドル受け１１４、１１５を備えている。そして、スピンドル１１３は、中央にロール紙が装着された後、両端がスピンドル受け１１４、１１５に装着され、回転可能に軸支持されるようになっている。ロール紙カバー１１２は、図１及び図２に示すように、上部が回動可能に支持されており、下部を持って持ち上げ、あるいは押し下げることにより開閉するようになっている。
【００１８】
印刷部１２０は、図２に示すように、プリントヘッド１２１を搭載したキャリッジ１２２、プリントヘッド１２１と印刷を実行する為の図示しない制御部とを接続するフレキシブルフラットケーブル（以下、ＦＦＣという）１２３、プリントヘッド１２１とインクが入った図示しないインクカートリッジとをつなぐインクチューブ１２４、ロール紙を副走査方向に搬送する図示しない紙送りローラ、ロール紙の浮き上がりを防止する図示しない紙吸引手段等を備えている。そして、印刷部１２０の上面及び前面には、図１及び図２に示すように、上蓋１２５及び前蓋１２６がプリントヘッド１２１やキャリッジ１２２等を覆うように取り付けられている。
【００１９】
プリントヘッド１２１は、ブラックインクを吐出するブラックインク用プリントへッドと、イエロー、ライトシアン、シアン、ライトマゼンタ、マゼンタ等の各色のインクを吐出する複数のカラーインク用プリントヘッドとを備えている。そして、プリントヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００２０】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００２１】
ＦＦＣ１２３は、一端が制御部のコネクタに接続され、他端がプリントヘッド１２１のコネクタに接続されており、印刷信号を制御部からプリントヘッド１２１に送るようになっている。インクチューブ１２４は、各色のインク用が配設されており、図示しないインク加圧供給手段を介して各一端が対応する各色のインクカートリッジにつながれ、各他端が対応する各色のプリントヘッド１２１につながれている。
【００２２】
そして、インクチューブ１２４は、インク加圧供給手段によって加圧された各色のインクをインクカートリッジからプリントヘッド１２１に送るようになっている。前蓋１２６は、図１及び図２に示すように、下部が回動可能に支持されており、上部を持って押し下げ、あるいは押し上げることにより開閉するようになっている。
【００２３】
排紙部１３０は、図１及び図２に示すように、ロール紙を副走査方向に搬送する経路の一部を成す排紙ガイド１３１と、ロール紙を副走査方向に搬送する図示しない排紙ローラを備えている。また、排紙部１３０の前面側から見て右側には、図１及び図２に示すように、インクカートリッジを収納保持するカートリッジホルダ１５０が配設されている。
【００２４】
脚部１４０は、図１及び図２に示すように、移動用のコロ１４１を有する２本の支持柱１４２と、これらの支持柱１４２の間に掛け渡されている補強棒１４３を備えている。そして、支持柱１４２の上部に給紙部１１０及び本体１２０、１３０が載置されネジ止め固定されるようになっている。
【００２５】
このような構成において、インクジェット式プリンタ１００を使用する場合は、先ず、給紙部１１０からロール紙ホルダ１１１を構成するスピンドル１１３を取り出し、図３に示すように、スピンドル１１３に挿入されているロール紙押さえ１１３ａをスピンドル１１３の一端から引き抜く。
【００２６】
そして、図４に示すように、スピンドル１１３の一端をロール紙Ｒの軸穴Ｃの一端から挿入して貫通させ、図５に示すように、ロール紙Ｒの軸穴Ｃの一端をスピンドル１１３の他端側に挿入固定されているロール紙押さえ１１３ｂにはめ込んで当接させる。続いて、ロール紙押さえ１１３ａをスピンドル１１３の一端から挿入して、ロール紙Ｒの軸穴Ｃの他端にはめ込む。これにより、ロール紙Ｒはスピンドル１１３と共に回転可能となる。
【００２７】
次に、図６に示すように、ロール紙Ｒが挿入されたスピンドル１１３の両端を持ってインクジェット式プリンタ１００の前後方向に対して斜めに向けた状態、すなわちロール紙Ｒが挿入されたスピンドル１１３の他端側を一方のスピンドル受け１１４に向けた状態にする。
【００２８】
ここで、このスピンドル受け１１４は水平方向に回転可能に構成されており、通常はスピンドル１１３の端部を受ける各スピンドル受け１１４、１１５の窪み１１４ａ、１１５ａは対向させておくが、ロール紙Ｒが挿入されたスピンドル１１３をセットするときは、図７に示すように、一方のスピンドル受け１１４を回転させて他方のスピンドル受け１１５に対して約４５度の角度を付けておく。
【００２９】
その後、ロール紙Ｒが挿入されたスピンドル１１３の他端部を一方のスピンドル受け１１４の窪み１１４ａに掛け、ロール紙Ｒが挿入されたスピンドル１１３と共にそのスピンドル受け１１４を回転させる。そして、各スピンドル受け１１４、１１５の窪み１１４ａ、１１５ａを対向させて、ロール紙Ｒが挿入されたスピンドル１１３の一端部を他方のスピンドル受け１１５の窪み１１５ａに掛ける。これにより、ロール紙Ｒが挿入されたスピンドル１１３を給紙部１１０に容易にセットすることができる。
【００３０】
次に、図８に示すように、ロール紙Ｒの先端を下方に引き出して印刷部１２０の搬送経路を通し、さらに図９に示すように、排紙部１３０の搬送経路まで通す。そして、図１０に示すように、ロール紙Ｒを巻き取り方向に回転させてロール紙Ｒの先端を例えば排紙ガイド１３１に形成されているマーカＭに位置決めする。その後、インクジェット式プリンタ１００を起動して、ロール紙Ｒを副走査方向に給紙しつつプリントヘッド１２１を主走査方向に移動させながらインク滴を吐出させ、ロール紙Ｒに所定の情報を印刷して排紙する。
【００３１】
図１１は、本発明の特徴的な部分である吸引部を含むロール紙の搬送面を示す概略断面側面図、図１２は、その吸引部の周辺を示す平面図である。給紙部１１０から印刷部１２０を経て排紙部１３０へ向かう用紙搬送経路は、インクジェット式プリンタ１００の上部後面側から下部前面側にかけて傾斜して設けられている。
【００３２】
この用紙搬送経路は、給紙部１１０から印刷部１２０にかけて配設された平坦な給紙ガイド２１１、対向配置された接触・離間可能な紙送りローラ２１２及び従動ローラ２１３、キャリッジ１２２に搭載されたプリントヘッド１２１と対向配置された平坦な用紙搬送案内部であるプラテン２１４、印刷部１２０から排紙部１３０にかけて配設された平坦な吸引部２１５、排紙部１３０に配設された排紙ガイド１３１により構成されている。
【００３３】
給紙ガイド２１１、排紙ガイド１３１の各表面は、用紙搬送面として作用する。プラテン２１４の表面は、用紙搬送案内面として作用すると共に用紙吸引面としても作用する。すなわち、図１２に示すように、プラテン２１４は、主走査方向に複数並設された吸引口２１４ａを備えており、図１１に示すように、印刷部１２０の内部に配設されたファン２１７により外気が各吸引口２１４ａから吸引されることにより、プラテン２１４上を搬送されるロール紙を吸着するようになっている。したがって、印刷時において特にロール紙の幅が広くてもロール紙はプラテン２１４上で全幅にわたって確実に吸引されて平坦になるので、印刷精度を高精度に維持することができる。
【００３４】
また、図１２に示すように、プラテン２１４と吸引部２１５との間に隙間Ｃを設け、図１１に示すように、印刷部１２０の内部に配設されたファン２１７により外気が隙間Ｃから吸引されることにより、隙間Ｃ上を搬送されるロール紙を吸着するようになっている。したがって、印刷時においてプラテン２１４と吸引部２１５との間でもロール紙は吸引されてプラテン２１４でより平坦になるので、印刷精度をさらに高精度に維持することができる。
【００３５】
吸引部２１５の表面は、用紙搬送面及び用紙吸引面として作用する。すなわち、図１２に示すように、吸引部２１５は、主走査方向に複数並設され、副走査方向に３列配設された吸引口２１５ａ、２１５ｂ、２１５ｃを備えており、図１１に示すように、印刷部１２０の内部に配設されたファン２１７により外気が各吸引口２１５ａ、２１５ｂ、２１５ｃから吸引されることにより、吸引部２１５上を搬送されるロール紙を吸着するようになっている。
【００３６】
この吸引部２１５は、ロール紙が搬送されて来ていないときは全ての吸引口２１５ａ、２１５ｂ、２１５ｃを閉じておき、ロール紙が搬送されて来たときはその先端の搬送にしたがって吸引口２１５ａ、２１５ｂ、２１５ｃを順次開けていくようになっている。すなわち、先ずロール紙の搬送上流側の吸引口２１５ａを開け、次にロール紙の搬送下流側の吸引口２１５ｂ、２１５ｃを開けるようになっている。
【００３７】
図１３は、吸引部２１５を背面から見た平面図であり、吸引部２１５の裏側には吸引口２１５ａ、２１５ｂ、２１５ｃを開閉する開閉機構が配設されている。この開閉機構２５０は、板金で成る筐体２５１内にシャッタ２５２及びカム機構を構成するカム２５３、ギア２５４、モータ２５５、センサ２５６、引張バネ２５７等が配設されている。
【００３８】
シャッタ２５２は、板状に形成されて筐体２５１内に複数枚（この例では５枚）並設されており、図１４に示すように、吸引部２１５の吸引口２１５ａ、２１５ｂ、２１５ｃに対応する穴２５２ａ、２５２ｂ、２５２ｃが設けられている。そして、ロール紙の搬送上流側の穴２５２ａは、ロール紙の搬送下流側の穴２５２ｂ、２５２ｃより長穴に形成されている。
【００３９】
カム２５３は、２個のカム２５３の外周が各シャッタ２５２における穴２５２ｃ側の一端に接するように配設されており、カム軸２５３ａの一端側に配設されているギア２５４を介してモータ２５５に連接されている。このカム２５３は、図１５に示すように、シャッタ２５２を穴２５２ａ、２５２ｂ、２５２ｃの配列方向に３段階（図１５（Ａ）−（Ｂ）−（Ｃ））で移動可能なように形成されている。
【００４０】
センサ２５６は、カム軸２５３ａの他端側に位置するカム２５３の近傍に配設されており、カム２５３のホームポジション、すなわち図１５（Ａ）に示す位置にカム２５３があることを検出するようになっている。引張バネ２５７は、２本の引張バネ２５７の一端がシャッタ２５２における穴２５２ｃ側の一端に係止され、他端が筐体２５１に係止されている。
【００４１】
そして、筐体２５１内は、ファン２１７の設置数（この例では副走査方向に３個並設されている）に合わせて仕切り板２５８により３室に仕切られている。この仕切り板２５８は、各室のシール効果を高めるために、例えばスポンジにより形成されている。
【００４２】
このような構成において、ロール紙が吸引部２１５に搬送されて来ていないときは、図１５（Ａ）に示すように、カム２５３は第１段階のホームポジションに位置しており、吸引部２１５の吸引口２１５ａ、２１５ｂ、２１５ｃはシャッタ２５２の穴２５２ａ、２５２ｂ、２５２ｃと全てずれて閉じられている。
【００４３】
そして、ロール紙が吸引部２１５に搬送されて来てロール紙の先端が吸引口２１５ａに達する直前には、図１５（Ｂ）に示すように、モータ２５５の駆動によりカム２５３は図示矢印ａ方向に回転して第２段階に入る。そして、カム２５３はシャッタ２５２を図示矢印ｂ方向に移動させ、吸引部２１５の吸引口２１５ａのみがシャッタ２５２の穴２５２ａと一致して開けられ、他の吸引口２１５ｂ、２１５ｃは穴２５２ｂ、２５２ｃとずれて閉じられている。これにより、開口した吸引口２１５ａにファン２１７の吸引能力を集中させることができるので、特に強くカールしているロール紙の先端を確実に吸引することができる。
【００４４】
さらに、ロール紙が搬送されてロール紙の先端が吸引口２１５ｂに達する直前には、図１５（Ｃ）に示すように、モータ２５５の駆動によりカム２５３は図示矢印ａ方向にさらに回転して第３段階に入る。そして、カム２５３はシャッタ２５２を図示矢印ｂ方向にさらに移動させ、吸引部２１５の吸引口２１５ａ、２１５ｂ、２１５ｃがシャッタ２５２の穴２５２ａ、２５２ｂ、２５２ｃと全て一致して開けられる。
【００４５】
このように、長穴に形成された穴２５２ａに対応した吸引口２１５ａをその長穴よりも小さい穴２５２ｂ、２５２ｃに対応した他の吸引口２１５ｂ、２１５ｃに比べて長時間開けておくことができるので、ロール類紙の先端の搬送にしたがって吸引口２１５ａ、２１５ｂ、２１５ｃを順次開ける動作を容易に行うことができる。
【００４６】
以上のような開閉機構２５０を有する吸引部２１５によれば、ロール紙の搬送とシャッタ２５２の開動作の同期をとるのみで、ロール紙の先端の搬送にしたがって吸引口２１５ａ、２１５ｂ、２１５ｃを順次開ける動作をカム機構という単純な機構で確実かつ容易に行うことができ、ロール紙を吸引部２１５に吸着させながら搬送することができる。
【００４７】
なお、上述した実施形態では、３列の吸引口２１５ａ、２１５ｂ、２１５ｃを設けるようにしたが、可能な範囲で任意の数の列の吸引口を設けることができる。また、先ず吸引口２１５ａを開け、次に吸引口２１５ｂ、２１５ｃを同時に開けるようにしたが、ロール紙の搬送上流側から１つずつ開けるようにしてもよい。
【００４８】
また、開閉機構２５０にカム機構を使用したが、これに限定されるものではなく、ギア機構等を使用してもよい。
【００４９】
以上説明したように、本発明に係る記録装置によれば、記録された記録媒体が搬送されて来たときに、その先端が位置する部分の吸引口のみを開けて、開口した吸引口にファンの吸引能力を集中させることができる。したがって、特に強くカールしている記録媒体の先端を確実に吸引することができる。
【産業上の利用可能性】
【００５０】
また、プリンタを例に説明したが、これに限られるものではなく、記録媒体の搬送案内部を有する記録装置、例えばファクシミリ装置やコピー装置等にも適用可能である。
【図面の簡単な説明】
【００５１】
【図１】本発明の実施の形態に係るプリンタの構成例を示す斜視図である。
【図２】図１のプリンタの主要部の内部構成例を示す斜視図である。
【図３】図１のプリンタの使用手順を示す第１の図である。
【図４】図１のプリンタの使用手順を示す第２の図である。
【図５】図１のプリンタの使用手順を示す第３の図である。
【図６】図１のプリンタの使用手順を示す第４の図である。
【図７】図１のプリンタの使用手順を示す第５の図である。
【図８】図１のプリンタの使用手順を示す第６の図である。
【図９】図１のプリンタの使用手順を示す第７の図である。
【図１０】図１のプリンタの使用手順を示す第８の図である。
【図１１】本発明の特徴的な部分である吸引部を含むロール紙の搬送面を示す概略断面側面図である。
【図１２】図１１に示す吸引部の周辺を示す平面図である。
【図１３】図１１に示す吸引部を背面から見た平面図である。
【図１４】図１１に示す吸引部と図１３に示す開閉機構の主要部を示す斜視図である。
【図１５】図１１に示す吸引部と図１３に示す開閉機構の主要部の動作状態を示す側面図である。
【符号の説明】
【００５２】
１００      プリンタ、  １１０      給紙部、  １１１      ロール紙ホルダ  １１２      ロール紙カバー、  １１３      スピンドル、  １１４      スピンドル受け、  １１５      スピンドル受け、  １２０      印刷部、  １２１      プリントヘッド、  １２２      キャリッジ、  １２３      ＦＦＣ、  １２４      インクチューブ、  １２５      上蓋、  １２６      前蓋、  １２７      レール、  １２８      キャリッジベルト、  １３０      排紙部、  １３１      排紙ガイド、  １３２      サイドカバー、  １４０      脚部、  １４１      コロ、  １４２      支持柱、  １４３      補強棒、  １５０      カートリッジホルダ、  ２１１      給紙ガイド、  ２１２      紙送りローラ、  ２１３      従動ローラ、  ２１４      プラテン、  ２１４ａ    吸引口、  ２１５      吸引部、  ２１５ａ、２１５ｂ、２１５ｃ    吸引口、  ２１７      ファン、  Ｃ          隙間、  ２５０      開閉機構、  ２５１      筐体、  ２５２      シャッタ、  ２５２ａ、２５２ｂ、２５２ｃ  穴、  ２５３      カム、  ２５４      ギア、  ２５５      モータ、  ２５６      センサ、  ２５７      引張バネ、  ２５８      仕切り板。
【図１】
2006341618.tif 000003
【図２】
2006341618.tif 000004
【図３】
2006341618.tif 000005
【図４】
2006341618.tif 000006
【図５】
2006341618.tif 000007
【図６】
2006341618.tif 000008
【図７】
2006341618.tif 000009
【図８】
2006341618.tif 000010
【図９】
2006341618.tif 000011
【図１０】
2006341618.tif 000012
【図１１】
2006341618.tif 000013
【図１２】
2006341618.tif 000014
【図１３】
2006341618.tif 000015
【図１４】
2006341618.tif 000016
【図１５】
2006341618.tif 000017